(57)【要約】【課題】従来品に比較して防水性と射熱・断熱性に優れた防水・断熱シートを提供すること。【解決手段】ブチルゴム・ポリオレフィン樹脂系シート基材１０の一方の片面に不織布１１が重合接着され、他方の片面には、中空セラミックビーズとガラス綿（グラスウール）及びアクリル樹脂系発泡液との混合物から成る断熱層１２が積層され、ブチルゴム・ポリオレフィン樹脂系シート基材１０は、釘着した場合において、釘穴を締め付ける強い弾力性を有して、縮んで水・熱を通さない釘穴シール性を有するために高い防水効果が得られ、断熱層１２は、中空セラミックビーズの空気層とガラス綿（グラスウール）の独立気泡の発泡液加工により形成の空気層による断熱層と、外部的高温の影響があっても影響されないという射熱性を有するセラミックビーズ及びガラス綿（グラスウール）自体の性質との相乗効果によって、高い断熱効果が得られる。【選択図】        図１
2004249646.tif 000002
【特許請求の範囲】
【請求項１】
ブチルゴム・ポリオレフィン樹脂系シート基材（１０）の一方の片面に不織布（１１）が重合接着され、他方の片面には、中空セラミックビーズとガラス綿（グラスウール）及びアクリル樹脂系発泡液との混合物から成る断熱層（１２）が積層されて成る防水・断熱シート。
【発明の詳細な説明】
【０００１】
【発明の属する技術分野】
本発明は、例えば建築構造物の天井や屋根裏等に使用するに好適な防水・断熱シートに関するものである。
【０００２】
【従来の技術】
従来、断熱シートとして、シート基材の両面に合成樹脂層を積層し、合成樹脂層の少なくとも一方が熱線を反射する中空球状体を含有し、この中空球状体を含有する合成樹脂層によって反射断熱効果を得るようにした反射断熱シートが知られている（例えば、特開２００１−２７００２１）。
【０００３】
【発明が解決しようとする課題】
しかしながら、この特開２００１−２７００２１に係る反射断熱シートは、反射作用によっては断熱効果が得られるものの、外部的高温の影響に対しては十分な断熱効果が得られないばかりか、防水手段が施されていないために防水効果は期待できず、この断熱シートを、例えば屋根瓦の下に釘着して敷設した場合においては、釘穴から雨水が浸透して釘穴シール性が損なわれるため、使用できないものであった。
【０００４】
本発明は、このような従来の問題点を解決するためになされたもので、その目的とするところは、従来品に比較して防水性と射熱・断熱性に優れた防水・断熱シートを提供することにある。
【０００５】
【課題を解決するための手段】
この目的のため、本発明の請求項１に記載の防水・断熱シートは、ブチルゴム・ポリオレフィン樹脂系シート基材１０の一方の片面に不織布１１が重合接着され、他方の片面には、中空セラミックビーズとガラス綿（グラスウール）及びアクリル樹脂系発泡液との混合物から成る断熱層１２が積層されて成る構成を特徴とするものである。
【０００６】
【発明の実施の形態】
本発明の実施の形態について図面を参照し、その作用と共に説明する。
【０００７】
図１は本発明に係る防水・断熱シートの一例での一部省略の縦断面図である。
【０００８】
シート基材１０は、ブチルゴム・ポリオレフィン樹脂系基材であって、ブチルゴム、ポリオレフィン系樹脂、軟化剤、充填剤等を混合し、カレンダー加工によって製造される。
【０００９】
このブチルゴム・ポリオレフィン樹脂系シート基材１０は、耐寒性・耐水性・防水性・耐熱性・断熱性に優れ、特に、このブチルゴム・ポリオレフィン樹脂系シート基材１０を板等に釘着した場合、釘穴を締め付ける強い弾力性を有するので、縮んで水・熱を通さない釘穴シール性を有している。
【００１０】
このことは、公知の静水圧法試験によって証明されている。
【００１１】
ブチルゴム・ポリオレフィン樹脂系シート基材１０の一方の片面には不織布１１が重合接着されて、この不織布１１によりブチルゴム・ポリオレフィン樹脂系シート基材１０の引張強度が高められている。
【００１２】
ブチルゴム・ポリオレフィン樹脂系シート基材１０の他方の片面には断熱層１２が積層されている。
【００１３】
断熱層１２は、２０〜４０ミクロンの中空セラミックビーズとガラス綿（グラスウール）及びアクリル樹脂系の独立気泡（単独気泡）の発泡液（１０倍発泡）との混合物、好ましくは、２０〜４０ミクロンの中空セラミックビーズ４５％とガラス綿（グラスウール）１５％及びアクリル樹脂系の独立気泡（単独気泡）の発泡液（１０倍発泡）４０％との混合物が均一な厚み（好ましくは、０．８〜２ｍｍの厚み）をもって塗着乾燥加工されたものである。
【００１４】
この断熱層１２は、中空セラミックビーズの空気層とガラス綿（グラスウール）の独立気泡（単独気泡）の発泡液加工により形成の空気層による断熱層と、外部的高温の影響があっても影響されないという射熱性を有するセラミックビーズ及びガラス綿（グラスウール）自体の性質との相乗効果によって、高い断熱効果が得られる。
【００１５】
このように、自分自身で熱くならずに断熱効果のあるガラス綿（グラスウール）が混合されることにより、独立気泡（単独気泡）の発泡量も多くなって、ブチルゴム・ポリオレフィン樹脂系基材１０そのもの自体が熱に影響されないようになっている。
【００１６】
又、ガラス綿（グラスウール）は、独立気泡（単独気泡）の発泡アクリルゾルにより混合されていて、外部に粉体が出てこないので安全である。
【００１７】
このように、本発明の防水・断熱シートは、ブチルゴム・ポリオレフィン樹脂系シート基材１０の一方の片面に不織布１１が重合接着され、他方の片面には、中空セラミックビーズとガラス綿（グラスウール）及びアクリル樹脂系発泡液との混合物から成る断熱層１２が積層されて構成されているので、柔軟性・可撓性を有する薄いシートとして、高い防水性と高い射熱・断熱性を有するシートが得られる。
【００１８】
そして、本発明の防水・断熱シートは、例えば屋根瓦の下に釘着して敷設し、断熱シートとして使用される。
【００１９】
この場合、断熱層１２側を上向き（瓦の下側）として、地板に釘着されるが、基材であるブチルゴム・ポリオレフィン樹脂系シート基材１０は、釘穴を締め付ける強い弾力性を有するので、縮んで水・熱を通さない釘穴シール性を有し、雨水等の浸透が防止しされて、高い防水性が保持される。
【００２０】
屋根瓦を介しての太陽熱は、２０〜４０ミクロンの中空セラミックビーズとガラス綿（グラスウール）及びアクリル樹脂系の独立気泡（単独気泡）の発泡液（１０倍発泡）との混合物が均一な厚み（好ましくは、０．８〜２ｍｍの厚み）をもって塗着乾燥加工されて形成の断熱層１２により射熱・断熱されて、高い断熱性が保持される。
【００２１】
【発明の効果】
しかして、本発明によれば、防水性と断熱性に優れた柔軟性・可撓性を有する引張強度の強いシートが得られる。
【００２２】
即ち、シート基材は、ブチルゴム・ポリオレフィン樹脂系であって耐寒性・耐水性・防水性・耐熱性・断熱性に優れ、特に、このブチルゴム・ポリオレフィン樹脂系シート基材は、釘着した場合において、釘穴を締め付ける強い弾力性を有して、縮んで水・熱を通さない釘穴シール性を有するので、高い防水効果が得られる。
【００２３】
一方、断熱層は、中空セラミックビーズの空気層とガラス綿（グラスウール）の独立気泡の発泡液加工により形成の空気層による断熱層と、外部的高温の影響があっても影響されないという射熱性を有するセラミックビーズ及びガラス綿（グラスウール）自体の性質との相乗効果によって、高い断熱効果が得られる。
【図面の簡単な説明】
【図１】本発明に係る防水・断熱シートの一例での一部省略の縦断面図である。
【符号の説明】
１０    ブチルゴム・ポリオレフィン樹脂系基材
１１    不織布
１２    断熱層
【図１】
2004249646.tif 000003